(57)【要約】【課題】太陽電池パネルを屋根に装備させる家屋などにあって、その都度作業者がパネル上に上る煩わしさなく、地上よりコード式或いは無線式リモコンで清掃体を容易に制御するなどして太陽電池パネルの電力量を確保可能とする。【解決手段】傾斜状に多数配設する太陽電池パネル１面に沿って移動する台車８を設け、太陽電池パネル１面を清掃する清掃体１７を台車８に装備させる。【選択図】      図３
2004186632.tif 000002
【特許請求の範囲】
【請求項１】
傾斜状に多数配設する太陽電池パネル面に沿って移動する台車を設け、太陽電池パネル面を清掃する清掃体を台車に装備させたことを特徴とする太陽電池パネル装置。
【請求項２】
清掃体を移動自在に台車に装備させ、任意の太陽電池パネル位置まで清掃体を移動させて任意太陽電池パネルの部分清掃を可能とさせたことを特徴とする請求項１記載の太陽電池パネル装置。
【請求項３】
太陽電池パネルの入出力状態を検出する太陽電池出力検出手段を設け、該検出手段に基づいて台車及び清掃体の制御を行うように構成したことを特徴とする請求項１または２記載の太陽電池パネル装置。
【発明の詳細な説明】
【０００１】
【発明の属する技術分野】
本発明は、家屋の屋根などに多数の太陽電池パネルを配設して、太陽光エネルギーを電力に変換して利用する太陽電池パネル装置に関する。
【０００２】
【従来の技術】
従来、傾斜屋根上に設ける太陽電池の保守作業を行う場合、屋根に梯子を取付けて梯子を足場に利用するなどして保守作業を行っている。（例えば、特許文献１参照）
【０００３】
【特許文献１】特開２０００−１４５１３０号公報
【０００４】
【発明が解決しようとする課題】
保守点検の都度、高さの高い屋根上に作業者が上って作業を行うことは、危険なばかりでなく作業も行い難く良好な保守点検作業が行えないという不都合があった。特に太陽電池パネルが塵埃や汚れ等で出力低下する場合には頻繁に屋根に上る必要があり、極めて煩わしいものであった。
【０００５】
【課題を解決するための手段】
したがって本発明は、傾斜状に多数配設する太陽電池パネル面に沿って移動する台車を設け、太陽電池パネル面を清掃する清掃体を台車に装備させて、屋根の太陽電池パネル面上にその都度作業者が上る必要なく、地上より台車や清掃体を容易に操作するなどして、太陽電池パネルの清掃を容易に行って太陽電池パネルの電力量を確保するものである。
【０００６】
また、清掃体を移動自在に台車に装備させ、任意の太陽電池パネル位置まで清掃体を移動させて任意太陽電池パネルの部分清掃を可能とさせて、例えば汚れの激しい太陽電池パネルまで容易に清掃体を移動させて、清掃を必要とする太陽電池パネルの清掃のみを迅速に行って、太陽電池パネルの出力安定保持を容易に図るものである。
【０００７】
さらに、太陽電池パネルの入出力状態を検出する太陽電池出力検出手段を設け、該検出手段に基づいて台車及び清掃体の制御を行って、例えばパネル面の汚れなどにより任意の太陽電池パネルの出力が一定以下に低下するときには、自動的にこのパネル面を清掃して常に各太陽電池パネルの必要出力を確保して、安定した電力を供給可能とさせるものである。
【０００８】
【発明の実施の形態】
以下、本発明の実施例を図面に基づいて詳述する。図１は太陽電池パネル付家屋の清掃装置取付図、図２は同説明図であり、多数の太陽電池パネル１を家屋２の屋根３上面に縦横の格子状に傾斜配置させて、屋根３上面を多数の太陽電池パネル１で覆い、太陽電池パネル１の傾斜に沿うパネル１両側縁の上面に左右の給水量４を配設させ、山形状の屋根３の傾斜方向に直交する頂部にノズル孔５を多数有する散水管６を水平状に配設させ、電動式給水バルブ７を介し給水管４に供給される水を散水管６に送り込み、ノズル孔５よりパネル１面に放水するように構成している。
【０００９】
図３、図４に示す如く、左右給水管４をガイドレールとして走行する清掃台車８をパネル１面上に設けるもので、門形状の台車フレーム９の左右側板９ａに給水管４にガイド溝１０を嵌合するガイド車輪１１を車軸１２を介し装備させると共に、前記散水管６上方に配備させるウインチ１３のワイヤ巻取プーリ１４と台車フレーム９とをワイヤ１５で連結させ、ウインチ１３の駆動モータである電動式台車移動モータ１６でプーリ１４を回転させワイヤ１５を巻取るとき台車８をパネル１の傾斜上端側に移動させると共に、ワイヤ１５を巻戻すときパネル１の傾斜下端側に台車８を移動させてパネル１の傾斜面に沿って往復移動させるように構成している。
【００１０】
また、前記パネル１面に円周面を摺接させる円柱形ブラシ体１７の取付フレーム１８を台車８の長手方向に移動自在に設けるもので、屋根３の水平方向と同一方向のブラシ体１７の回転軸１９を取付フレーム１８の左右側板２０・２１に回転自在に支持させ、側板２１に固設するブラシ体回転モータ２２を伝動ケース２３を介して回転軸１９に連結させ、台車フレーム９に回転ネジ軸２４及びガイド軸２５を介し取付フレーム１８を軸２４・２５方向に移動自在に支持させ、ネジ軸２４に伝動ケース２６を介し連結する電動式ブラシ体移動モータ２７の正逆駆動によって、ブラシ体１７をパネル１面上で水平方向に往復移動させるように構成している。
【００１１】
さらに、前記取付フレーム１８の左右側板２０・２１間の連結板２８略中央に、パネル１面の汚れ状態を色別或いは太陽光の反射光などより判別する光電式受光面センサ２９を設けて、ブラシ体１９の移動時に各パネル１面の汚れ状態も同時に検出するように構成している。
【００１２】
そして図５、図６に示す如く、各太陽電池パネル１と受光面センサ２９とをコントローラ３０に入力接続させると共に、台車移動モータ１６とブラシ体移動モータ２７とブラシ体回転モータ２２と給水バルブ７とブザー或いはランプなど警報装置３１にコントローラ３０を出力接続させて、コントローラ３０内の電圧検出器などによって各パネル１毎の出力電圧を検出し、全パネル１の出力電圧値が一定以下に低下するとき、警報装置３１を作動させ、散水量６のノズル孔５より一定時間だけ放水を開始させると共に、各モータ１６・２２・２７の駆動によってブラシ体１７を一定時間だけ回転及び移動させて各パネル１全面の清掃作業を行って出力電圧値の一定以上を常に保持させるものである。
【００１３】
上記から明らかなように、傾斜状に多数配設する太陽電池パネル１面に沿って移動する台車８を設け、太陽電池パネル１面を清掃する清掃体であるブラシ体１７を台車８に装備させたことによって、屋根３の太陽電池パネル１面上にその都度作業者が上る必要なく、コード式或いは無線式リモコンで地上より台車８やブラシ体１７を容易に制御するなどして、太陽電池パネル１の清掃を容易に行って太陽電池パネル１の電力量を確保することができる。
【００１４】
また、ブラシ体１７を移動自在に台車８に装備させ、任意の太陽電池パネル１位置までブラシ体１７を移動させて任意太陽電池パネル１の部分清掃を可能とさせたことによって、例えば汚れの激しい太陽電池パネル１まで容易にブラシ体１７を移動させて、清掃を必要とする太陽電池パネル１の清掃のみを迅速に行って、太陽電池パネル１の出力安定保持を容易に図ることができる。
【００１５】
さらに、太陽電池パネル１の入出力状態を検出する電力検出手段であるコントローラ３０を設け、該コントローラ３０の電力検出に基づいて台車８及びブラシ体１７の制御を行うことによって、例えばパネル１面の汚れなどにより任意の太陽電池パネル１の出力が一定以下に低下するときには、自動的にこのパネル１面を清掃して常に各太陽電池パネル１の必要出力を確保して、安定した電力を供給可能とさせることができる。
【００１６】
図７に示すものは、各パネル１の出力電圧のうち何れか一つのパネル１の出力電圧値が一定以下に低下するとき、警報装置３１を作動させ、予め設定されるプログラムなどに基づきモータ１６・２７を駆動制御して該当パネル１位置までブラシ体１７を移動させ、一定時間の放水と同時に一定時間のブラシ体１７の回転によって該当パネル１面を清掃して各パネル１の出力電圧を一定以上に保つものである。
【００１７】
また図８に示すものは、例えば１日に１回など一定時間毎に全パネル１面上を一定順序でブラシ体１７の取付フレーム１８を一巡移動させ、この移動中に受光面センサ２９でパネル１面上の汚れ状態の一定以上を検出するとき、警報装置３１を作動させ前記警報管６より一定時間の放水を行うと共に、ブラシ体１７を回転させて該当パネル１面の清掃を行ってパネル１の受光精度を安定維持させるものである。
【００１８】
なお、上述実施例にあっては屋根３片側のパネル清掃のみを示したが、屋根３他側にも同様の清掃台車８を装備させても良く、また台車８を振り替える構成でも良い。
【００１９】
また上述実施例にあっては、移動モータ２７によってブラシ体１７を軸２４・２５方向に移動させる構成を示したが、図９に示す如く、台車８の横巾と略同じ長さのブラシ体１７ａを台車フレーム９に取付けて、台車８のパネル１傾斜方向に沿う移動のみで屋根３片側のパネル１全面の清掃を可能とさせても良く、作業の能率向上化を図ることができる。
【００２０】
図１０に示すものは、横円柱形のブラシ体１７に換え水平回転式のブラシ体１７ｂを取付フレーム１８ｂの左右側板２０ｂ・２１ｂ間のベース台３２に縦型ブラシ体回転モータ２２を介し取付けた構成を示すもので、平面視円形のブラシ体１７ｂをパネル１面に面接触させて良好に清掃を行うことができる。
【００２１】
図１１に示すものは、パネル１の傾斜上端及び下端の直線水平部に丸形或いはＩ形などのガイドレール３３（散水管６を用いても良い）を敷設し、前述の清掃台車８のガイド車輪１１をガイドレール３３に嵌合させてパネル１の傾斜と直交する方向に台車８を移動させると共に、ブラシ体１７の取付フレーム１８を傾斜方向に移動させてパネル１全面の清掃を可能とさせる構成を示したものである。また、清掃台車８をパネル１位置側方まで搬送する運搬車３４を配備させるもので、パネル１上と同一傾斜姿勢で清掃台車８を走行案内するガイドレール３５を昇降台３６に配設すると共に、走行輪３７を有する運搬台車３８に油圧シリンダなどの昇降機構３９を介し昇降自在に昇降台３６を連結支持させて、多数の家屋２位置に運搬車３４で清掃台車８を運搬し、屋根パネル１上のガイドレール３３に運搬車３４のガイドレール３５に一致する状態まで昇降台３６を上昇させ、運搬車３４よりパネル１上に清掃台車３８を移し換えてパネル１の清掃を行うもので、１つの清掃台車３８を多数の家屋２に有効使用することができる。
【００２２】
【発明の効果】
以上実施例から明らかなように本発明は、傾斜状に多数配設する太陽電池パネル１面に沿って移動する台車８を設け、太陽電池パネル１面を清掃する清掃体１７を台車８に装備させたものであるから、屋根３の太陽電池パネル１面上にその都度作業者が上る必要なく、地上より台車８や清掃体１７を容易に操作するなどして、太陽電池パネル１の清掃を容易に行って太陽電池パネル１の電力量を確保することができるものである。
【００２３】
また、清掃体１７を移動自在に台車８に装備させ、任意の太陽電池パネル１位置まで清掃体１７を移動させて任意太陽電池パネル１の部分清掃を可能とさせたものであるから、例えば汚れの激しい太陽電池パネル１まで容易に清掃体１７を移動させて、清掃を必要とする太陽電池パネル１の清掃のみを迅速に行って、太陽電池パネル１の出力安定保持を容易に図ることができるものである。
【００２４】
さらに、太陽電池パネル１の入出力状態を検出する電力検出手段３０を設け、該検出手段３０の電力検出に基づいて台車８及び清掃体１７の制御を行うものであるから、例えばパネル１面の汚れなどにより任意の太陽電池パネル１の出力が一定以下に低下するときには、自動的にこのパネル１面を清掃して常に各太陽電池パネル１の必要出力を確保して、安定した電力を供給可能とさせることができるものである。
【図面の簡単な説明】
【図１】太陽電池パネル付家屋の清掃装置取付図。
【図２】太陽電池パネル付家屋の清掃装置取付説明図。
【図３】清掃台車の取付説明図。
【図４】清掃台車の側面説明図。
【図５】制御回路図。
【図６】パネルの清掃フローチャート。
【図７】パネルの部分清掃フローチャート。
【図８】受光面センサに基づく制御フローチャート。
【図９】ブラシ体の他の構成説明図。
【図１０】ブラシ体の他の構成説明図。
【図１１】清掃台車の他の構成説明図。
【符号の説明】
１      太陽電池パネル
８      台車
１７    ブラシ体（清掃体）
３０    コントローラ（電動検出手段）
【図１】
2004186632.tif 000003
【図２】
2004186632.tif 000004
【図３】
2004186632.tif 000005
【図４】
2004186632.tif 000006
【図５】
2004186632.tif 000007
【図６】
2004186632.tif 000008
【図７】
2004186632.tif 000009
【図８】
2004186632.tif 000010
【図９】
2004186632.tif 000011
【図１０】
2004186632.tif 000012
【図１１】
2004186632.tif 000013